(57)【要約】【課題】  鉛直方向の深さが比較的浅い設置スペースで済むことができる排水装置を提供する。【解決手段】  水が使用される器具から床面ＦＬ下に導かれた水を強制排水するべく、床面ＦＬ下に設置される排水装置Ａであって、受水口を有する貯水槽２と、貯水槽２に隣接して配置され、貯水槽２内の水を吸水して所定の排水路に吐出する複数の排水ポンプ３と、貯水槽２内の水位が所定の水位に達したことを検知する水位センサと、貯水槽２内の水位が所定の水位に達したことを水位センサが検知すると、複数の排水ポンプ３を起動させる制御手段とを備えており、かつ、複数の排水ポンプ３と貯水槽２とは、床面ＦＬ下の偏平な空間に収納しうるように構成されている。【選択図】  図２
2005179964.tif 000002
【特許請求の範囲】
【請求項１】
水が使用される器具から床面下に導かれた水を強制排水するべく、床面下に設置される排水装置であって、
受水口を有する貯水槽と、
上記貯水槽に隣接して配置され、上記貯水槽内の水を吸水して所定の排水路に吐出する複数の排水ポンプと、
上記貯水槽内の水位が所定の水位に達したことを検知する水位センサと、
上記貯水槽内の水位が所定の水位に達したことを上記水位センサが検知すると、上記複数の排水ポンプを起動させる制御手段と、
を備えており、かつ、
上記複数の排水ポンプと貯水槽とは、床面下の偏平な空間に収納しうるように構成されていることを特徴とする、排水装置。
【請求項２】
床面下の偏平な空間に収納されるとともに上記貯水槽に隣接して配置され、上記貯水槽内の水を吸水してこの貯水槽内に吐出し、かつ、上記制御手段によって上記複数の排水ポンプと共に起動される循環ポンプをさらに備えている、請求項１に記載の排水装置。
【請求項３】
上記貯水槽は、所定の高さの隔壁によって、上記受水口に連通するとともに上記水位センサにより水位が検知される第１貯水領域と、その余の第２貯水領域とに仕切られており、上記循環ポンプは、上記第１貯水領域の水を吸水して少なくともこの第１貯水領域に吐出し、かつ、上記複数の排水ポンプの少なくとも１つは、上記第１貯水領域および第２貯水領域の双方の水を吸水して上記排水路に吐出するように構成されている、請求項２に記載の排水装置。
【請求項４】
上記隔壁の高さは、上記貯水槽内において、上記水位センサが検知する所定の水位よりも高く、かつ、満水時の水位よりも低い、請求項３に記載の排水装置。
【請求項５】
上記第２貯水領域には、上記排水路に連通するオーバフロー排水口が設けられている、請求項３または４に記載の排水装置。
【請求項６】
床面下の偏平な空間に設置されるケースを備えており、上記複数の排水ポンプおよび循環ポンプならびに貯水槽は、上記ケース内に収納されている、請求項２ないし５のいずれかに記載の排水装置。
【請求項７】
上記制御手段は、上記複数の排水ポンプおよび循環ポンプに流れる各電流を検出するとともに、検出した各電流の値を比較し、他の電流値との差が所定の数値以上となる電流値を検出した場合には、上記複数の排水ポンプおよび循環ポンプのいずれかに異常が発生した状態と判定する、請求項２ないし６のいずれかに記載の排水装置。
【発明の詳細な説明】
【技術分野】
【０００１】
本願発明は、水が使用される器具から床面下に導かれた水を強制的に排水する排水装置に関する。
【背景技術】
【０００２】
たとえば特許文献１に開示されているように、理美容院などで水を使用する器具としては、床面上を移動可能なシャンプユニットが提案されている。この移動式のシャンプユニットは、洗髪ボウルやシャワーヘッドを備えており、必要に応じて理美容椅子の近傍に配置される。このようなシャンプユニットは、床面下に設置された床下ユニットに接続して使用される。床下ユニットは、シャンプユニットを床面下の給湯管に接続するための給湯部や、シャンプユニットの洗髪ボウルから排出された水を床面下の排水管へと導く排水部を備えている。この排水部に連通する排水管は、ある程度の勾配をつけて床面下に設置されており、床下ユニットの排水部における水は、排水管を通じて屋内あるいは屋外の所定箇所へと自然に流れていくようになっている。
【０００３】
ところで、理美容院などの店舗においては、床下ユニットや排水・給湯管の設置スペースを確保するために既存の下地面の上に新たに床面を形成しており、床下ユニットや排水・給湯管は、床面と下地面との間に収められている。このような下地面からの床面の高さが高くなるほど、床面と天井との距離が縮まるために店舗内が狭苦しく感じられやすい。そのため、下地面から床面までの高さを抑え、下地面と床面との間に形成される設置スペースの深さをできる限り小さくすることが望ましい。
【０００４】
【特許文献１】特開平６−３０４０１８号公報
【発明の開示】
【発明が解決しようとする課題】
【０００５】
しかしながら、排水装置としての上記排水管は、水が自然に流れるように所要量の勾配をつけなければならず、このような排水管の設置スペースにはある程度の深さが必要とされるので、床面の高さを低くするには限度があった。たとえば、管径７５ｍｍ以下の排水管では、１／５０程度の勾配をとる必要があり、この場合、設置スペースの深さ（下地面に対する床面の高さ）としては、３００ｍｍ程度を確保しなければならない。
【０００６】
本願発明は、上記した事情のもとで考え出されたものであって、鉛直方向の深さが比較的浅い設置スペースで済む、排水装置を提供することをその課題としている。
【課題を解決するための手段】
【０００７】
上記課題を解決するため、本願発明では、次の技術的手段を講じている。
【０００８】
本願発明によって提供される排水装置は、水が使用される器具から床面下に導かれた水を強制排水するべく、床面下に設置される排水装置であって、受水口を有する貯水槽と、上記貯水槽に隣接して配置され、上記貯水槽内の水を吸水して所定の排水路に吐出する複数の排水ポンプと、上記貯水槽内の水位が所定の水位に達したことを検知する水位センサと、上記貯水槽内の水位が所定の水位に達したことを上記水位センサが検知すると、上記複数の排水ポンプを起動させる制御手段と、を備えており、かつ、上記複数の排水ポンプと貯水槽とは、床面下の偏平な空間に収納しうるように構成されていることを特徴としている。
【０００９】
このような構成によれば、たとえばシャンプユニットから床面下に導かれた水は、一旦貯水槽に入り、この貯水槽内の水位が所定の水位に達すると、貯水槽内の水が複数の排水ポンプに吸い出されて所定の排水路へと強制的に送り出される。この排水路については、排水ポンプの圧力によって所定の方向に水が流れるため、勾配をつける必要がない。したがって、排水装置とともに排水路も設置される床面下の空間としては、床面からの深さがそれほどない比較的浅い設置スペースとすることができる。これにより、排水装置や排水路の設置に伴い新たに床面を形成する場合には、できる限り床面を低くして天井との距離をあけることができる。
【００１０】
好ましい実施の形態においては、床面下の偏平な空間に収納されるとともに上記貯水槽に隣接して配置され、上記貯水槽内の水を吸水してこの貯水槽内に吐出し、かつ、上記制御手段によって上記複数の排水ポンプと共に起動される循環ポンプをさらに備えている。
【００１１】
このような構成によれば、貯水槽内の水が循環ポンプによって攪拌され、これにより水とともに集積したゴミなどが分離されるため、排水ポンプが貯水槽内の水を吸水する際に大きなゴミによって詰まることなく、効率良く排水することができる。
【００１２】
好ましい実施の形態においては、上記貯水槽は、所定の高さの隔壁によって、上記受水口に連通するとともに上記水位センサにより水位が検知される第１貯水領域と、その余の第２貯水領域とに仕切られており、上記循環ポンプは、上記第１貯水領域の水を吸水して少なくともこの第１貯水領域に吐出し、かつ、上記複数の排水ポンプの少なくとも１つは、上記第１貯水領域および第２貯水領域の双方の水を吸水して上記排水路に吐出するように構成されている。
【００１３】
このような構成によれば、貯水槽の総容量に満たない第１貯水領域の水位が所定の水位になれば排水が始まるため、貯水槽の水を漏れなくかつ迅速に排水することができる。
【００１４】
好ましい実施の形態としては、上記隔壁の高さは、上記貯水槽内において、上記水位センサが検知する所定の水位よりも高く、かつ、満水時の水位よりも低い。
【００１５】
このような構成によれば、第２貯水領域の水位よりも第１貯水領域の水位を確実に早く所定の水位に到達させることができ、貯水槽の水がオーバフローすることのないように早期の段階で排水を始めることができる。
【００１６】
好ましい実施の形態としては、上記第２貯水領域には、上記排水路に連通するオーバフロー排水口が設けられている。
【００１７】
このような構成によれば、第１貯水領域および第２貯水領域が共に満水状態となっても、貯水槽内から外部に溢れ出ようとする水がオーバフロー排水口を介して排水路へと導かれるため、貯水槽の漏水を確実に防ぐことができる。
【００１８】
好ましい実施の形態としては、床面下の偏平な空間に設置されるケースを備えており、上記複数の排水ポンプおよび循環ポンプならびに貯水槽は、上記ケース内に収納されている。
【００１９】
このような構成によれば、複数の排水ポンプや循環ポンプならびに貯水槽がケース内に収められ、このケースを床面下の浅い設置スペースに対して収納することができる。
【００２０】
好ましい実施の形態としては、上記制御手段は、上記複数の排水ポンプおよび循環ポンプに流れる各電流を検出するとともに、検出した各電流の値を比較し、他の電流値との差が所定の数値以上となる電流値を検出した場合には、上記複数の排水ポンプおよび循環ポンプのいずれかに異常が発生した状態と判定する。
【００２１】
このような構成によれば、たとえば２つの排水ポンプと１つの循環ポンプとが作動中の場合、それら３つのポンプのうち、１つまたは２つの異常を電流値の差に基づいて確実に検知することができる。
【００２２】
本願発明のその他の特徴および利点は、添付図面を参照して以下に行う詳細な説明によって、より明らかとなろう。
【発明を実施するための最良の形態】
【００２３】
以下、本願発明の好ましい実施の形態を、図面を参照して具体的に説明する。
【００２４】
図１〜４は、本願発明に係る排水装置の一実施形態を示している。なお、図１〜４においては、一部の構成要素を適宜省略している。本実施形態の排水装置Ａは、たとえば理美容院において水を使用する器具である、いわゆる移動式のシャンプユニット（図示略）に適したものであり、このシャンプユニットが接続される床下ユニット（図示略）に対して比較的近くの床面下に設置されている。上記シャンプユニットは、たとえば略８リットルの水を溜めることができる洗髪ボウルやシャワーヘッドを備えており、本実施形態では一例として、３つのシャンプユニットを３箇所の床下ユニットに接続した状態で同時に使用可能とされている。排水装置Ａは、各シャンプユニットの洗髪ボウルから排出された水を各床下ユニットから受水して強制排水しうるように、これら３箇所の床下ユニットと比較的短い導水管（図示略）を介して接続されている。図２〜４に示されているように、排水装置Ａは、下地面ＧＬとその上に形成された床面ＦＬとの間に過不足なく収められており、上記床下ユニットや導水管、さらには排水装置Ａから所定箇所へと連通する排水路としての排水管（図示略）も、下地面ＧＬと床面ＦＬとの間に収められている。このような床面ＦＬから下地面ＧＬまでの深さｄは相当小さく、本実施形態では一例として深さｄが略１００ｍｍとなるように形成されている。
【００２５】
図１によく示されているように、排水装置Ａは、ケース１、貯水槽２、２つの排水ポンプ３、１つの循環ポンプ４、水位センサ５、および制御ボックス６を備えて概略構成されている。ケース１内には、貯水槽２、２つの排水ポンプ３、１つの循環ポンプ４、水位センサ５、および制御ボックス６が収納されている。排水ポンプ３および循環ポンプ４は、貯水槽２の一側部に隣接して配置されている。水位センサ５は、貯水槽２の一側部に取り付けられているとともに、制御ボックス６内のマイクロコンピュータに接続されている。制御ボックス６には、マイクロコンピュータや周辺回路が組み込まれた基板のほか、ブザーやパイロットランプが設けられている（図示略）。
【００２６】
ケース１は、図２〜４に示される開閉可能な蓋１０と、この蓋１０により平時は閉じられる偏平状の箱１１とを有している。箱１１の一側部には、上記複数の床下ユニットからの水を内部に取り込むための取水口金１２（図１〜３参照）が設けられており、この取水口金１２に図外の上記導水管が連通している。これとは反対側の箱１１の他側部には、貯水槽２内の水を図外の排水管へと送り出すための２つの排水口金１３Ａ，１３Ｂ（図１〜３参照）が設けられている。このようなケース１の鉛直方向の外形寸法は、床面ＦＬから下地面ＧＬまでの深さｄにほぼ一致しており、蓋１０の外表面は、床面ＦＬの一部をなしている。
【００２７】
貯水槽２は、図２〜４に示される開閉可能な上蓋２０と、この上蓋２０により平時は密閉される偏平な箱状の水槽部２１とを有して構成されている。水槽部２１の一側部には、受水口（図示略）を介して上記取水口金１２が設けられている（図１〜３参照）。これとは反対側の水槽部２１の他側部には、２つの排水用吸水管３１を介して排水ポンプ３が接続されているとともに、１つの循環用吸水管４１を介して循環ポンプ４が接続されている（図１参照）。また、水槽部２１の他側部には、循環ポンプ４が吐出した水を再び水槽部２１内に送り込むための２つの循環用吐出管４２Ａ，４２Ｂが設けられている（図１参照）。図４に示されているように、水槽部２１の他側部には、排水用吸水管３１および循環用吸水管４１ならびに循環用吐出管４２Ａ，４２Ｂをそれぞれ接続するための開口２１ａ，２１ｂ，２１ｃ，２１ｄが形成されている。また、図３によく示されているように、水槽部２１の他側部には、水槽部２１内の底面からの水位が所定の水位ｗに達したことを検知するように水位センサ５が取り付けられている。さらに、図２〜４に示されているように、上蓋２０の適部には、たとえばゴムホースなどの配管７を介して排水口金１３Ｂに連通するオーバフロー排水口２０ａが設けられている。配管７は、オーバフロー排水口２０ａから排水口金１３Ｂに向けて次第に下降するように若干傾斜している。
【００２８】
具体的には、図１によく示されているように、水槽部２１の内部は、隔壁２３によって第１貯水領域２Ａとその余の第２貯水領域２Ｂとに仕切られている。この隔壁２３は、貯水槽２内の水が上蓋２０に達するといった満水時の水位よりは低く、かつ、水位センサ５によって検知される所定の水位ｗよりは若干高い起立面として形成されている（図２および図３参照）。第１貯水領域２Ａは、取水口金１２に連通しており、水位センサ５によって所定の水位ｗが検知される領域である。この第１貯水領域２Ａには、排水用吸水管３１の吸水口３１ａ、循環用吸水管４１の吸水口４１ａ、および循環用吐出管４２Ａの吐出口４２ａが配置されている。排水用吸水管３１および循環用吸水管４１の吸水口３１ａ，４１ａは、水位センサ５によって検知される所定の水位ｗよりも相当低い位置にある。循環用吐出管４２Ａの吐出口４２ａは、吐出した水が第１貯水領域２Ａの各所に広く行き渡るように分岐している。
【００２９】
一方、第２貯水領域２Ｂは、オーバフロー排水口２０ａに連通しており、第１貯水領域２Ａから溢れた水が流れ込んでくる領域である。この第２貯水領域２Ｂには、排水用吸水管３１の吸水口３１ｂおよび循環用吐出管４２Ｂの吐出口４２ｂが配置されている。排水用吸水管３１の吸水口３１ｂの高さは、先述した第１貯水領域２Ａにおける吸水口３１ａ，４１ａの高さと同程度である。循環用吐出管４２Ｂの吐出口４２ｂも、先述した第１貯水領域２Ａにおける吐出口４２ａと同様に、吐出した水が各所に広く行き渡るように分岐している。
【００３０】
このような貯水槽２の外形寸法は、ケース１内に余裕をもって収まるように、鉛直方向の高さが略８０ｍｍ、縦横の幅が略７３０ｍｍ×４２０ｍｍ程度とされている。これにより、貯水槽２は、略２４．５リットルの総容量を有している。貯水槽２の第１貯水領域２Ａは、略７．５リットルの容量を有するように形成されており、この第１貯水領域２Ａの容量を総容量から差し引いた分、すなわち略１７リットルの容量を第２貯水領域２Ｂが有している。水位センサ５によって検知される所定の水位ｗは、水槽部２１内の底面から略５５ｍｍの高さに設定されている。
【００３１】
排水ポンプ３は、たとえば非自吸式の遠心ポンプであり、ケース１内に余裕をもって収納可能な小型のものである。図１によく示されているように、排水ポンプ３のポンプ吸水口には、排水用吸水管３１が接続されているとともに、排水ポンプ３のポンプ吐出口には、排水用吐出管３２の一端が接続されている。この排水用吐出管３２の他端が排水口金１３Ａに連通している。このような排水ポンプ３は、呼び水作用を行わないために、排水用吸水管３１内からインペラ（図示略）を回転可能に支持するケーシング内にわたって水が充分満ちた状態になるまでは作動しない。水が充分満ちた状態、すなわち水位センサ５によって所定の水位ｗが検知されると、排水ポンプ３は、マイクロコンピュータにより起動させられてインペラを回転させ、排水用吸水管３１を通じて吸水した水を排水用吐出管３２へと吐出する。排水用吐出管３２内の水は、排水ポンプ３の圧力によって排水口金１３Ａから図外の排水管へと移り、さらに排水管内を所定箇所の方に向かって流れていく。このような排水ポンプ３は、貯水槽２内の水をケース１外の排水管へと強制的に送り出すために設けられている。本実施形態における２つの排水ポンプ３は、たとえば略１０秒で合計５リットルの水を排水する能力を有している。
【００３２】
循環ポンプ４は、排水ポンプ３と同形式で同型のものである。図１によく示されているように、循環ポンプ４のポンプ吸水口には、循環用吸水管４１が接続されているとともに、循環ポンプ４のポンプ吐出口には、管継手４２Ｃを介して２つの循環用吐出管４２Ａ，４２Ｂが接続されている。このような循環ポンプ４も、呼び水作用を行わないために、循環用吸水管４１内からインペラ（図示略）を回転可能に支持するケーシング内にわたって水が充分満ちた状態になるまでは作動しない。水位センサ５によって所定の水位ｗが検知されると、循環ポンプ４は、マイクロコンピュータにより起動させられることで排水ポンプ３と同時に動作し、循環用吸水管４１を通じて吸水した水を循環用吐出管４２Ａ，４２Ｂへと吐出する。このような循環ポンプ４は、シャンプユニットから排出された水に毛髪などのゴミが含まれており、貯水槽２内に毛髪などのゴミが集積しやすいため、貯水槽２内の水を攪拌することによって集積したゴミを分離するために設けられている。貯水槽２内の水が循環ポンプ４によって攪拌されると、排水用吸水管３１の吸水口３１’が毛髪などのゴミによって詰まりにくくなり、排水ポンプ３が正常に動作を行うことができる。このような毛髪などのゴミは、最終的には排水ポンプ３に水と共に吸い込まれて排出されることとなる。
【００３３】
水位センサ５は、たとえば静電容量式のものであって、貯水槽２内の水位、厳密には第１貯水領域２Ａの水位が所定の水位ｗに達したことを検知するものである。第１貯水領域２Ａの水位が所定の水位ｗに達すると、水位センサ５は、静電容量の変化を検知してオン信号をマイクロコンピュータに出力する。制御手段としてのマイクロコンピュータは、水位センサ５からのオン信号に基づいて排水ポンプ３および循環ポンプ４を同時に起動させ、その後、所定時間が経過すると、排水ポンプ３および循環ポンプ４の動作を停止させる。ただし、水位センサ５からオン信号が出力されている場合には、排水ポンプ３および循環ポンプ４の動作を停止させずに継続させる。
【００３４】
マイクロコンピュータは、排水ポンプ３や循環ポンプ４の動作中、これらに対して電源から供給される各電流を検出しているとともに、検出した各電流の値を比較し、これら電流値の比較結果に基づいてポンプの動作状態を監視している。具体的には、ある１つのポンプの電流値に着目し、他の２つのポンプの電流値との間に所定の数値以上の差が生じると、その１つのポンプあるいは他の２つのポンプの動作に異常が発生した状態と判定する。たとえばインペラが回転せずにロックした状態になると、電流値が上がる一方、ポンプが空気を吸って空転した状態になると、電流値が下がる。このように各電流値を相互比較することによって異常を判定するのは、１つのポンプの消費電力が比較的小さく、電源電圧に略９０〜１１０Ｖ程度のばらつきがあり、さらには電源の交流周波数５０／６０Ｈｚによっても運転条件が変わってしまい、一定の基準値に基づいて判定することが難しいためである。ポンプの動作に異常が発生すると、マイクロコンピュータは、ブザーに警報音を発生させたり、パイロットランプを点灯あるいは点滅させる。なお、３つのポンプの電流値がすべて０として検出された場合、マイクロコンピュータは、これらのポンプが同時に故障したものと判定し、警報音を発生させたりすることもできる。
【００３５】
次に、排水装置Ａの動作について説明する。
【００３６】
第１のケースとして、３つのシャンプユニットの洗髪ボウル全てに８リットルの水が溜められており、これら３つの洗髪ボウルの水が同時に排出される場合、排水装置Ａは、次のように動作する。なお、１つの洗髪ボウルは、略１０秒で８リットルの水を排出するものとし、貯水槽２は、当初は水が全く入っていない空の状態であるとする。
【００３７】
３つの洗髪ボウルから同時に排出された水は、最初に貯水槽２の第１貯水領域２Ａに流れ込む。第１貯水領域２Ａでは、急速に水位が高まってすぐに所定の水位ｗに達する。すると、２つの排水ポンプ３と１つの循環ポンプ４とが同時に動作を始める。循環ポンプ４は、第１貯水領域２Ａから吸水した水を第１貯水領域２Ａだけでなく第２貯水領域２Ｂにも吐出するため、第２貯水領域２Ｂの水位がそのうち上昇し始める。また、第１貯水領域２Ａから溢れる水によっても第２貯水領域２Ｂの水位が上昇する。これにより、各排水ポンプ３は、第１貯水領域２Ａに水が流れ込んできてから比較的早い段階で排水し始め、第１貯水領域２Ａおよび第２貯水領域２Ｂの双方の水を吸水して排水管へと速やかに排水する。数量的には、２つの排水ポンプ３が略１０秒で合計５リットルの水を排水するため、同時間内に洗髪ボウル３つ分の２４リットルの水が貯水槽２に流れ込んできても、貯水槽２がオーバフローすることはない。なお、３つの洗髪ボウルに水が溜められて同時に排出されるといった状況が繰り返し続くようなケースでも、洗髪ボウルに水を溜めるにはある程度の時間を要する。そのため、洗髪ボウルに水を溜めているうちに貯水槽２内の水が排水ポンプ３によってほとんど排水されることとなり、貯水槽２がオーバフローすることはない。
【００３８】
第２のケースとして、２つのシャンプユニットの洗髪ボウルに溜められた水が排出されるのと同時に、他の１つのシャンプユニットから１０リットル／ｍｉｎの割合で水が排出される場合、排水装置Ａは、次のように動作する。この場合も、１つの洗髪ボウルは、略１０秒で８リットルの水を排出するものとし、貯水槽２は、当初は水が全く入っていない空の状態であるとする。
【００３９】
この場合も、最初に貯水槽２の第１貯水領域２Ａに水が流れ込み、第１貯水領域２Ａでは、急速に水位が高まってすぐに所定の水位ｗに達し、これにより２つの排水ポンプ３と１つの循環ポンプ４とが同時に動作を始める。循環ポンプ４の動作に伴い、第２貯水領域２Ｂの水位がそのうち上昇し始め、また、第１貯水領域２Ａから溢れる水によっても第２貯水領域２Ｂの水位が上昇する。つまり、各排水ポンプ３は、上記第１のケースと同様に比較的早い段階で排水し始め、第１貯水領域２Ａおよび第２貯水領域２Ｂの双方の水を吸水して排水管へと速やかに排水する。数量的には、２つの排水ポンプ３が略１０秒で合計５リットルの水を排水するため、同時間内に洗髪ボウル２つ分の１６リットルに１０／６リットルを加えた量の水が貯水槽２に流れ込んできても、貯水槽２がオーバフローすることはない。
【００４０】
第３のケースとして、１つのシャンプユニットにおける洗髪ボウルの水が排出されるのと同時に、他の２つのシャンプユニットからそれぞれ１０リットル／ｍｉｎの割合で水が排出される場合、排水装置Ａは、次のように動作する。この場合も、１つの洗髪ボウルは、略１０秒で８リットルの水を排出するものとし、貯水槽２は、当初は水が全く入っていない空の状態であるとする。
【００４１】
この場合も、最初に貯水槽２の第１貯水領域２Ａに水が流れ込み、第１貯水領域２Ａでは、急速に水位が高まってすぐに所定の水位ｗに達し、これにより２つの排水ポンプ３と１つの循環ポンプ４とが同時に動作を始める。循環ポンプ４の動作に伴い、第２貯水領域２Ｂの水位がそのうち上昇し始める。したがって、各排水ポンプ３は、上記第１や第２のケースと同様に比較的早い段階で排水し始め、第１貯水領域２Ａおよび第２貯水領域２Ｂの双方の水を吸水して排水管へと速やかに排水する。数量的には、２つの排水ポンプ３が略１０秒で合計５リットルの水を排水するため、同時間内に洗髪ボウル１つ分の８リットルに２×１０／６リットルを加えた量の水が貯水槽２に流れ込んできても、貯水槽２がオーバフローすることはない。
【００４２】
上記第１〜第３のケースから明らかなように、２つの排水ポンプ３によれば、略１０秒で合計５リットルの水を排水することができ、１分間当たりに換算すれば合計３０リットル／ｍｉｎの排水能力が発揮されるため、３つのシャンプユニットからそれぞれ１０リットル／ｍｉｎの割合で水が排出される場合でも、貯水槽２がオーバフローすることはない。なお、貯水槽２の第１貯水領域２Ａや第２貯水領域２Ｂに溜まった水は、排水ポンプ３が所定時間継続して動作することにより、ほとんど排水されることとなる。
【００４３】
仮に、１つあるいは２つの排水ポンプ３に異常が発生し、貯水槽２内の水が排水されない状態となっても、貯水槽２の総容量が略２４．５リットルはあるので、たとえば上記第１のケースのように略１０秒で洗髪ボウル３つ分の２４リットルの水が貯水槽２に流れ込んでくるとしても、その分量の水を貯水槽２内に溜めてオーバフローさせることはない。このとき、排水ポンプ３の異常発生が警報音などによって報知されるため、利用者は確実にポンプの異常を知ることができる。また、貯水槽２が満水状態にあり、その上で貯水槽２に水が流れ込んでくる場合には、貯水槽２から溢れ出ようとする水がオーバフロー排出口２０ａから配管７を通じて自然に流れ出て行き、さらに排水口金１３Ｂから排水管へと導かれるので、貯水槽２から溢れた水がケース１内に漏れてしまうことはない。
【００４４】
したがって、上記排水装置Ａによれば、貯水槽２内の水が２つの排水ポンプ３によって強制的に排水管へと排水され、排水管では、排水ポンプ３の圧力によって所定箇所の方へと水が流れることとなる。そのため、排水管については、勾配をつける必要がなく、下地面ＧＬと床面ＦＬとの間に形成された比較的浅いスペースに設置することができ、このようなスペースに排水装置Ａや床下ユニットも設置することができる。つまり、下地面ＧＬから略１００ｍｍ程度の高さ位置に床面ＦＬを形成すればよく、床面ＦＬができる限り低く抑えられるため、天井との距離を従来ほども縮めることなく室内を広く感じさせることができる。
【００４５】
なお、本願発明に係る排水装置は、上記実施形態に限定されるものではない。
【００４６】
ケースや貯水槽の水平方向の縦横寸法については、排水すべき水の量に応じてより大きくすることができる。
【００４７】
排水ポンプの個数については、設置スペースがあれば３つ以上でもよい。たとえば、貯水槽内の水を攪拌する必要がない場合、循環ポンプに代えて１つの排水ポンプを増設することができる。
【００４８】
貯水層内において常に水が溜まった状態の領域が存在することのないように、少なくとも１つの排水ポンプは、第１貯水領域と第２貯水領域の双方の水を吸い込んで排水することが可能な構成であればよい。
【００４９】
排水装置は、シャンプユニットや床下ユニットに対応するほか、これら以外の水を排出する器具でも勿論利用することができる。
【図面の簡単な説明】
【００５０】
【図１】本願発明に係る排水装置の一実施形態を示す平面図である。
【図２】図１のII−II断面図である。
【図３】図１のIII−III断面図である。
【図４】図１のIV−IV断面図である。
【符号の説明】
【００５１】
１      ケース
２      貯水槽
２Ａ    第１貯水領域
２Ｂ    第２貯水領域
２０ａ  オーバフロー排水口
２３    隔壁
３      排水ポンプ
４      循環ポンプ
５      水位センサ
６      制御ボックス
Ａ      排水装置
ＦＬ    床面
ＧＬ    下地面
【図１】
2005179964.tif 000003
【図２】
2005179964.tif 000004
【図３】
2005179964.tif 000005
【図４】
2005179964.tif 000006